(57)【特許請求の範囲】
【請求項１】
住宅などの建物（１）を乗せて建築するベースプレート（２）と建物の周囲を囲むようにベースプレート（２）に取り付ける柱（４），それを繋ぐ梁（５），その上に組まれる三角フレーム（３）の要素で構成され，外部からの作業で容易に建物（１）を乗せたベースプレート（２）を基礎（２５）に取り付けること，及び基礎（２５）から切り離すことを可能とし，建物（１）を壊すことなく柱梁（４，５）の架構をクレーンで吊上げて車両に積み運搬することを可能とし，運んだ後，再度吊上げ，あらかじめ作られた基礎（２５）に取り付けることができ，三角フレーム（３）はソーラーシステムのパネル（２２）などの取り付けに利用が可能となる，柱梁（４，５）は屋上庭園などのテラス（２３）などを取り付け，屋上利用が可能となることを特徴とする建物移動装置と移動可能建物から構成されるシステム。
【発明の詳細な説明】
【技術分野】
【０００１】本発明は建物が壊れないように吊上げ、運搬、耐震などの多機能を兼ねたベースプレート、サイドポール，それを繋ぐ梁，桁，三角フレームを備えた建物を移動するための装置と移動可能なハウス，建築物に関するものである。
【背景技術】
【０００２】従来の建築は一度敷地に建てるとその場所で使い，不要になると再利用せずに解体して捨てる，費用を掛けて処分することが一般的である。
【先行技術文献】
従来の建築物や住宅は基礎に固定され建物を壊さずに基礎から取り外すこと，又建物を壊さずにクレーンなどで吊上げること，建物の外部から基礎に固定することが出来ない，これらの作業で壊れてしまう構造である。
【特許文献】
【発明の概要】
【発明が解決しようとする課題】
【０００３】従来型建物（家屋）を移動しようと基礎から切り離すと壊れてしまう。【０００４】従来型建物（家屋）を持ち上げようすると壊れてしまう。【０００５】従来型建物（家屋）は他の土地に壊さずに移動できない。【０００６】従来型建物（家屋）を何度も建てると多額の資金を必要とする。【０００７】従来型建物（家屋）は災害時に緊急の対応が難しい。【０００８】耐震性を兼用できない。【０００９】ハウスは移動して再利用、転売できない。【００１０】従来型建物（家屋）の屋根を造作して利用すると雨漏りの原因になる。【００１１】介護でベッド等はリースできるが，部屋はリースや持ち運びできない。【００１２】日本国内では公道を走行する車幅約３ｍを越えるような車両としてのトレーラーハウスを作ることが難しい。
【課題を解決するための手段】
【００１３】
【００１４】建物移動システムとモバイルハウスのベースプレートにより、建築物を壊さずに基礎と建物を切り離すことを可能にする。【００１５】建物移動システムとモバイルハウスのベースプレートにより，建築物をクレーンで吊上げ搬送することを可能にする。【００１６】建物移動システムとモバイルハウスのベースプレートやサイドポールなどで建物ごと車両に積載し，次の目的地に運搬及び設置を可能とし，何度も資金をかけずに済む。【００１７】建物移動システムとモバイルハウスは完成後，ハウスを解体する必要なく，移動及び設置を可能とする。【００１８】建物移動システムとモバイルハウスは製造条件の良い工場で製造して，車両に積み被災地等に運搬して容易に設置できる為，迅速に多くの仮設でない品質の良い建物を供給できる利点があり，被災地が復旧後，そこにモバイルハウスを移設して利用することが可能。【００１９】余分な費用を掛けず建物移動システムとモバイルハウスのフレームが耐震性を増してくれます。【００２０】建物移動システムとモバイルハウスは欲しい方の欲しい場所に運べる為，壊さずに転売をすることが可能です。【００２１】建物（家屋）の屋根にソーラーシステムのパネルなどを取付けようとすると屋根に造作を加える為雨漏りの原因となりますが，建物移動システムとモバイルハウスの三角フレームなどを利用で解決。【００２２】高齢化時代に入り施設不足に対応する介護設備の整った部屋を必要な期間だけ貸し出し、不要になったら返却できるモバイル介護ハウスを使うと自宅介護も可能になる。【００２３】本発明の建物移動システムとモバイルハウスは正規に公道を走行できるトレーラー車両の取り付けることで公道を移動して目的地で使用することができる。【００２４】ベースプレートが建物倒壊の可能性を少なくできるなど，この採用で建築方法が新たな改良になる。
【発明の効果】
【００２５】上述したように本発明は一度建築して使用した住宅や店舗などの建物を時間，労力と費用を掛けて壊し，処分することなく必要な場所に運んで有効に再利用することが出来るもので資源を大切にして環境にも貢献する建物移動装置と移動ハウスである，当初の建築地で使用し，次の場所へ移動又は工場で建築し，使用目的地へ移動することが出来る，このように建築方法を用途により選ぶことが出来る，モバイルハウスの建築時の費用を下げる為ベースプレートのみ使用した基本設置で完成させることが出来る。
【図面の簡単な説明】
【００２６】
【図１】本発明の建物移動システムとモバイルハウスの平面である。
【図２】本発明の建物移動システムとモバイルハウスの正面である。
【図３】本発明の建物移動システムとモバイルハウスの左側面である。
【図４】本発明の建物移動システムとモバイルハウスの右側面である。
【図５】本発明の建物移動システムとモバイルハウスの断面Ａである。
【図６】本発明の建物移動システムとモバイルハウスの断面Ｂである。
【図７】本発明の建物移動システムとモバイルハウスの断面Ｃである。
【図８】本発明の建物移動システムとモバイルハウスの鳥瞰である。
【図９】本発明の建物移動システムとモバイルハウスで請求するベースプレート（材料は木材集成材）である。
【図１０】本発明の建物移動システムとモバイルハウスで請求するベースプレート（材料は木材集成材）基礎への取り付け説明である。
【図１１】本発明の建物移動システムとモバイルハウスで請求するベースプレート（材料はＨ鋼材）である。
【図１２】本発明の建物移動システムとモバイルハウスで請求するベースプレート（材料はＨ鋼材）基礎への取り付け説明である。
【図１３】本発明の建物移動システムとモバイルハウスで請求するベースプレート（材料は木材又は鋼材などを使用）である。
【図１４】本発明の建物移動システムとモバイルハウスで請求するベースプレート（材料が木トラス構造材）基礎への取り付け説明である。
【図１５】本発明の建物移動システムとモバイルハウスの基本設置である。
【図１６】本発明の建物移動システムとモバイルハウスの移設準備である。
【図１７】本発明の建物移動システムとモバイルハウスの移設手順（一点吊り上げ）である。
【図１８】本発明の建物移動システムとモバイルハウスの移設手順（二点吊り上げ）である。
【図１９】本発明の建物移動システムとモバイルハウスの移設手順（一点吊り上げ補強の概略）である。
【図２０】本発明の建物移動システムとモバイルハウスの移設手順（二点吊り上げ補強の概略）である。
【図２１】本発明の建物移動システムとモバイルハウスの移設手順（吊り上げ側面の概略）である。
【図２２】本発明の建物移動システムとモバイルハウスの移設手順（吊り上げ側面の概略補足）である。
【図２３】本発明の建物移動システムとモバイルハウスの移設手順（輸送、移動方法）である。
【図２４】本発明の建物移動システムとモバイルハウスの応用利用及び付加機能説明である。
【図２５】本発明の建物移動システムとモバイルハウスの応用利用及び付加機能説明である。
【符号の説明】
【００２７】０１  モバイルハウス
０２  ベースプレート
０３  三角フレーム
０４  サイドポール
０５  梁
０６  穴
０７  補強構造材
０８  長尺土台
０９  プレート（集成木材）：ベースプレート兼土台
１０  カバー
１１  取り付穴（締結金物）
１２  締結金物
１３  プレート（鉄鋼材）：ベースプレート兼土台
１４  土台
１５  化粧カバー
１６  化粧カバー取り付け金物
１７  プレート（木材）：ベースプレート兼土台
１８  吊り支点（クレーン等）
１９  ワイヤー
２０  支線
２１  搬送車両
２２  ソーラーパネル（ユニット）
２３  テラス（ユニット）
２４  階段その他（ユニット）
２５  基礎
【図１】
0005953585.tif 000002
【図２】
0005953585.tif 000003
【図３】
0005953585.tif 000004
【図４】
0005953585.tif 000005
【図５】
0005953585.tif 000006
【図６】
0005953585.tif 000007
【図７】
0005953585.tif 000008
【図８】
0005953585.tif 000009
【図９】
0005953585.tif 000010
【図１０】
0005953585.tif 000011
【図１１】
0005953585.tif 000012
【図１２】
0005953585.tif 000013
【図１３】
0005953585.tif 000014
【図１４】
0005953585.tif 000015
【図１５】
0005953585.tif 000016
【図１６】
0005953585.tif 000017
【図１７】
0005953585.tif 000018
【図１８】
0005953585.tif 000019
【図１９】
0005953585.tif 000020
【図２０】
0005953585.tif 000021
【図２１】
0005953585.tif 000022
【図２２】
0005953585.tif 000023
【図２３】
0005953585.tif 000024
【図２４】
0005953585.tif 000025
【図２５】
0005953585.tif 000026